(57)【要約】【課題】折り曲げ工程上必要とされる圧力によって嵌合部等が変形してしまう恐れを低減することのできる導電性部材を備えるコネクタを提供すること。【解決手段】本発明のコネクタは、第１方向において相手側コネクタと嵌合する環状部を有する嵌合部を備える導電性部材を備えている。嵌合部は、第１部位及び第２部位を有し、環状部を少なくとも構成するように第１方向と直交する第２方向において第１部位の端部と第２部位の端部同士を合わせてなるものである。第１部位及び第２部位の端部は、嵌合部に対して第１方向と斜交する方向に向かう力が加わった場合、一方の端部が他方の端部を受け止めることにより当該力を受ける合わせ部を構成するようにしたこと。コネクタ。【選択図】図１
2011028908.tif 000002
【特許請求の範囲】
【請求項１】
第１方向において相手側コネクタと嵌合する環状部を有する嵌合部を備える導電性部材を備えたコネクタであって、
前記嵌合部は、第１部位及び第２部位を有し、前記環状部を少なくとも構成するように前記第１方向と直交する第２方向において前記第１部位の端部と前記第２部位の端部同士を合わせてなるものであり、
前記第１部位及び前記第２部位の端部は、前記嵌合部に対して前記第１方向と斜交する方向に向かう力が加わった場合、一方の前記端部が他方の前記端部を受け止めることにより当該力を受ける合わせ部を構成する
コネクタ。
【請求項２】
請求項１記載のコネクタにおいて、
前記斜交する方向は、前記第１方向と前記第２方向とで規定される面内において、前記第１方向と前記第２方向との双方に斜交する方向である
コネクタ。
【請求項３】
請求項１又は請求項２記載のコネクタにおいて、
前記導電性部材は、一枚の金属板から切り出された一次加工品を折り曲げることにより、前記第１方向及び前記第２方向の双方に直交する第３方向に延びる基部と当該基部の前記第３方向の端部から前記第１方向に向かって立つ前記嵌合部とを形成した後、前記基部に向けて前記嵌合部を倒すように前記嵌合部に圧力を加えて折り曲げることにより得られるものであり、
前記一次加工品は、前記第３方向の端部として、前記第２方向に沿って延びる延部を有しており、
前記嵌合部の前記第１部位及び前記第２部位は、前記延部の前記第２方向における端部同士を合わせるようにして前記延部を折り曲げ加工して得られるものであり、
前記合わせ部は、前記第２方向に斜交する方向であって且つ前記第２方向と直交する方向ではない第１斜交方向及び第２斜交方向のいずれに向かう力が加わった場合でも当該力を受けることのできる
コネクタ。
【請求項４】
請求項１乃至請求項３いずれか記載のコネクタであって、
前記合わせ部は２対あり、
当該２対の合わせ部は、互いに独立しており、
一方の前記合わせ部は、前記第１斜交方向及び前記第２斜交方向のうち、前記第１斜交方向に向かう力にのみ対抗し得るように合わせられてなる第１合わせ部を構成し、
他方の前記合わせ部は、前記第１斜交方向及び前記第２斜交方向のうち、前記第２斜交方向に向かう力にのみ対抗し得るように合わせられてなる第２合わせ部を構成している
コネクタ。
【請求項５】
請求項４記載のコネクタであって、
前記嵌合部は、前記嵌合部から延びる２つのアーム部を備えており、
当該２つのアームの端部は、互いに合わせられて前記第１合わせ部を構成しており、
前記嵌合部は、一か所のみにおいて合わせられて前記第２合わせ部を構成している
コネクタ。
【請求項６】
請求項５記載のコネクタであって、
前記導電性部材は、ケーブルを保持するケーブル保持部を更に備えており、
前記ケーブルは互いに絶縁された外部導体及び内部導体を有しており、
前記嵌合部は、前記ケーブル保持部が前記ケーブルを保持する際に、前記基部を通じて前記外部導体に電気的に接続されるように構成されているものである
コネクタにおいて、
前記内部導体に電気的に接続されるコンタクトと、該コンタクトを保持する保持部材とを更に備えており、
前記２つのアーム部は、夫々、前記嵌合部から前記第３方向に沿って略Ｌ字状に延びるものであり、且つ、前記嵌合部が倒された状態において前記第１方向に沿って見た場合に、略コの字形状を有するように合わせられており、
前記保持部材は、前記コンタクトを保持した状態において、前記基部と前記２つのアーム部と前記嵌合部とにより更に保持されている
コネクタ。
【請求項７】
請求項４乃至請求項６のいずれか記載のコネクタであって、
前記第１合わせ部と前記第２合わせ部は、いずれも略クランク形状の隙間を構成し、互いに異なる向きに折れ曲がってなる溝である
コネクタ。
【請求項８】
請求項４乃至請求項７のいずれか記載のコネクタであって、
前記第１合わせ部の前記第２方向における中心は、前記第２合わせ部の前記第２方向における中心からずれている
コネクタ。
【発明の詳細な説明】
【技術分野】
【０００１】
本発明は、コネクタに関し、特に、ライトアングル接続型のコネクタに関する。
【背景技術】
【０００２】
この種のコネクタとしては、例えば、特許文献１に開示されたものがある。特許文献１記載のコネクタは、同軸ケーブルの内部導体と接続されるコンタクトと、コンタクトを保持する保持部材と、保持部材の外側に配置された嵌合部を含む導電性部材とを備えている。
【０００３】
特許文献１の図４に示されるように、特許文献１の導電性部材は、一枚の金属板から切り出されたブランクを折り曲げて形成されたものであり、同軸ケーブルを保持するためのケーブル保持部を含む基部と、相手方コネクタ（レセプタクル）と嵌合するための環状部を含む嵌合部とを備えている。このうち、ケーブル保持部は、同軸ケーブルを第１方向に延びた状態で保持するためのものである。嵌合部は、ブランクを折り曲げ形成する工程の途中においては、第１方向と直交する第２方向に向かって基部の第１方向の端部から立ち上がるように形成されているが、その後、基部に向けて倒される部位である（例えば、特許文献１の図５等参照）。即ち、特許文献１の導電性部材は、ブランクを形成した後、基部と嵌合部とを互いに略直交した状態で形成し、更にその後に、基部に向けて嵌合部を倒すように嵌合部に圧力を加えて折り曲げることにより構成されるものである。
【先行技術文献】
【特許文献】
【０００４】
【特許文献１】特開２００５−３１０５１５号公報
【発明の概要】
【発明が解決しようとする課題】
【０００５】
特許文献１のコネクタを小型化していくと、特に導電性部材の折り曲げ工程において嵌合部を基部に向けて倒す際に嵌合部に対して加えられる圧力によって環状部等が変形してしまう恐れがある。加えて、相手方コネクタと嵌合する場合においても環状部が変形するおそれがある。
【０００６】
そこで、本発明は、折り曲げ工程上必要とされる圧力によって環状部等が変形してしまう恐れを低減すると共に、相手側コネクタとの嵌合時においても環状部が変形しない導電性部材を備えるコネクタを提供することを目的とする。
【課題を解決するための手段】
【０００７】
ケーブル保持部を含む基部と略円環状の環状部を含む嵌合部とを有する導電性部材を折り曲げ形成する工程において、嵌合部を基部に向けて倒すためには嵌合部に圧力を加えなければならない。この圧力が環状部に直交する方向のみにかかり続けていれば環状部を含めた嵌合部に歪み等が生じることはないが、そのようなことは事実上不可能であるので、嵌合部には前述の圧力に起因して少なからず剪断応力も加えられることとなる。この剪断応力は環状部を含め嵌合部全体に歪み等を生じさせる原因となるものであるので、当該剪断応力に対して何らかの対処をしなければならない。
【０００８】
また、嵌合時においては、嵌合部に対して嵌合方向に向かう力を加えることにより相手側コネクタと嵌合するが、この際、嵌合方向に斜交する方向に向かう力が嵌合部に加わることにより、嵌合部が変形するおそれがある。かかる力に対して何らかの対処をしなければならない。
【０００９】
本発明においては、剪断応力が嵌合部に加わらないようにすることは上述したように事実上不可能であることから、上述した剪断応力に対して耐性のあるような構造を嵌合部に持たせることとした。加えて、嵌合方向に斜交する力が嵌合部に加わった場合であっても、当該力を受けることのできる構造を持たせることとした。本発明は、具体的には、上述した課題を解決するための手段として、以下に掲げるコネクタを提供する。
【００１０】
即ち、本発明によれば、第１のコネクタとして、第１方向において相手側コネクタと嵌合する環状部を有する嵌合部を備える導電性部材を備えたコネクタであって、前記嵌合部は、第１部位及び第２部位を有し、前記環状部を少なくとも構成するように前記第１方向と直交する第２方向において前記第１部位の端部と前記第２部位の端部同士を合わせてなるものであり、前記第１部位及び前記第２部位の端部は、前記嵌合部に対して前記第１方向と斜交する方向に向かう力が加わった場合、一方の前記端部が他方の前記端部を受け止めることにより当該力を受ける合わせ部を構成するコネクタが得られる。
【００１１】
また、本発明によれば、第２のコネクタとして、第１のコネクタにおいて、前記斜交する方向は、前記第１方向と前記第２方向とで規定される面内において、前記第１方向と前記第２方向との双方に斜交する方向であるコネクタが得られる。
【００１２】
また、本発明によれば、第３のコネクタとして、第１又は第２のコネクタにおいて、前記導電性部材は、一枚の金属板から切り出された一次加工品を折り曲げることにより、前記第１方向及び前記第２方向の双方に直交する第３方向に延びる基部と当該基部の前記第３方向の端部から前記第１方向に向かって立つ前記嵌合部とを形成した後、前記基部に向けて前記嵌合部を倒すように前記嵌合部に圧力を加えて折り曲げることにより得られるものであり、前記一次加工品は、前記第３方向の端部として、前記第２方向に沿って延びる延部を有しており、前記嵌合部の前記第１部位及び前記第２部位は、前記延部の前記第２方向における端部同士を合わせるようにして前記延部を折り曲げ加工して得られるものであり、前記合わせ部は、前記第２方向に斜交する方向であって且つ前記第２方向と直交する方向ではない第１斜交方向及び第２斜交方向のいずれに向かう力が加わった場合でも当該力を受けることのできるコネクタが得られる。
【００１３】
また、本発明によれば、第４のコネクタとして、第１乃至第３いずれかのコネクタであって、前記合わせ部は２対あり、当該２対の合わせ部は、互いに独立しており、一方の前記合わせ部は、前記第１斜交方向及び前記第２斜交方向のうち、前記第１斜交方向に向かう力にのみ対抗し得るように合わせられてなる第１合わせ部を構成し、他方の前記合わせ部は、前記第１斜交方向及び前記第２斜交方向のうち、前記第２斜交方向に向かう力にのみ対抗し得るように合わせられてなる第２合わせ部を構成しているコネクタが得られる。
【００１４】
また、本発明によれば、第５のコネクタとして、第４のコネクタであって、前記嵌合部は、前記嵌合部から延びる２つのアーム部を備えており、当該２つのアームの端部は、互いに合わせられて前記第１合わせ部を構成しており、前記嵌合部は、一か所のみにおいて合わせられて前記第２合わせ部を構成しているコネクタが得られる。
【００１５】
また、本発明によれば、第６のコネクタとして、第５のコネクタであって、前記導電性部材は、ケーブルを保持するケーブル保持部を更に備えており、前記ケーブルは互いに絶縁された外部導体及び内部導体を有しており、前記嵌合部は、前記ケーブル保持部が前記ケーブルを保持する際に、前記基部を通じて前記外部導体に電気的に接続されるように構成されているものであるコネクタにおいて、前記内部導体に電気的に接続されるコンタクトと、該コンタクトを保持する保持部材とを更に備えており、前記２つのアーム部は、夫々、前記嵌合部から前記第３方向に沿って略Ｌ字状に延びるものであり、且つ、前記嵌合部が倒された状態において前記第１方向に沿って見た場合に、略コの字形状を有するように合わせられており、前記保持部材は、前記コンタクトを保持した状態において、前記基部と前記２つのアーム部と前記嵌合部とにより更に保持されているコネクタが得られる。
【００１６】
また、本発明によれば、第７のコネクタとして、第４乃至第６のいずれかのコネクタであって、前記第１合わせ部と前記第２合わせ部は、いずれも略クランク形状の隙間を構成し、互いに異なる向きに折れ曲がってなる溝であるコネクタが得られる。
【００１７】
また、本発明によれば、第８のコネクタとして第４乃至第７のいずれかのコネクタであって、前記第１合わせ部の前記第２方向における中心は、前記第２合わせ部の前記第２方向における中心からずれているコネクタが得られる。
【発明の効果】
【００１８】
本発明によれば、嵌合部を基部に向けて倒す工程において剪断応力に起因して嵌合部に第１斜交方向及び第２斜交方向のいずれに向かう力が加えられてしまった場合であっても、嵌合部を形成する過程でブランクの端部同士を合わせてなる合わせ部がかかる力を受けるように構成した。即ち、合わせ部を構成する一方の端部が他方の端部を受け止めることにより第１斜交方向及び第２斜交方向のいずれに向かう力を受けることができる構成したことから、導電性部材の折り曲げ工程上必要とされる圧力によって環状部等が変形してしまう恐れを低減することができる。また、嵌合時において、嵌合部に対して嵌合方向と斜交する方向に向かう力が加わった場合でも、合わせ部を構成する一方の端部が他方の端部を受け止めることにより当該力を受けることができる。
【図面の簡単な説明】
【００１９】
【図１】本発明の実施の形態によるコネクタと同軸ケーブルを表す斜視図である。
【図２】図１のコネクタコネクタに対し、同軸ケーブルが接続された状態を表す図である。
【図３】図１に示されるコネクタに用いられる導電性部材を形成するための一次加工品を表す斜視図である。
【図４】図３に示される一次加工品の上面図である。
【図５】図４に示される一次加工品の第１合わせ部及び第２合わせ部を示す部分拡大図である。
【図６】図１に示されるコネクタに用いられるコンタクトを表す平面図である。
【図７】図１に示されるコネクタに用いられる保持部材を表す平面図である。
【図８】図６及び図７に示されるコンタクト及び保持部材を表す平面図である。なお、コンタクトは保持部材に保持されている。
【図９】図３に示される一次加工品に対し、図８に示される保持部材が組み込まれた状態を表す図である。なお、保持部材は、図６に示されるコンタクトを保持している。
【図１０】図３に示される一次加工品に対し、図３に示される保持部材を組み込む様子を表す図である。
【図１１】図３に示される一次加工品に対し、保持部材が組み込まれた状態を表す図である。
【図１２】図１１の一次加工品の嵌合部が基部に対して倒されている状態を表す図である。
【図１３】図５に示される第１合わせ部及び第２合わせ部の変形例を示す部分拡大図である。
【図１４】図５に示される第１合わせ部及び第２合わせ部の他の変形例を示す部分拡大図である。
【図１５】図５に示される第１合わせ部及び第２合わせ部を１つの合わせ部とした場合の変形例を示す部分拡大図である。
【図１６】図５に示される第１合わせ部及び第２合わせ部を１つの合わせ部とした場合の他の変形例を示す部分拡大図である
【発明を実施するための形態】
【００２０】
図１及び図２に示されるように、本発明の実施の形態によるコネクタ１０は、Ｙ方向（第３方向）に延びる同軸ケーブル２０を接続するためのものである。コネクタ１０は、導電性部材１００と、導電性部材１００に組み込まれた保持部材２００と、保持部材２００に保持されたコンタクト３００とで構成されている。導電性部材１００は、Ｙ方向に延びる基部１１０及び当該基部１１０のＹ方向端部に位置する折曲げ部１１２と連続する嵌合部１２０で構成されている。基部１１０には、同軸ケーブル２０を保持するためのケーブル保持部１３０が形成されている。同軸ケーブル２０は、コネクタ１０に接続された後、ケーブル保持部１３０によって挟持される。嵌合部１２０は、第１部位１２０ａ及び第２部位１２０ｂから構成されており、略円環状の環状部１４０が形成されている。なお、環状部１４０は、Ｚ方向（第１方向）において相手側コネクタ（図示せず）と嵌合するためのものである。即ち、環状部１４０は、円環の中心を通る軸に沿った方向（図１の状態にあってはＺ方向）を相手側コネクタとの嵌合方向とするものである。
【００２１】
本実施の形態による導電性部材１００は、一枚の金属板をプレス加工して図３に示される一次加工品１００ａを得た後、嵌合部１２０を基部１１０に向けて倒してなるものである。ここで、当該金属板はＹ方向の端部としてＸ方向（第２方向）に沿って延びる延部を有している。詳しくは、この延部は、＋Ｘ方向に延びる第１延部と−Ｘ方向に延びる第２延部から構成されている。第１延部及び第２延部の夫々には端部（後述）が形成されている。なお、第１延部及び第２延部は、第１部位１４０ａ第２部位１４０ｂに対応する（図３参照）。これら延部の２つの端部同士を合わせるようにして金属板をプレス加工することにより、図３に示される一次加工品１００ａが形成される。
【００２２】
本実施の形態において、上記の端部同士を合わせてなる合わせ部は２対形成される。具体的には、図３に示されるように、一次加工品１００ａは、環状部１４０から延びるように形成されたＬ字形状のアーム部１５０の端部１５０ａ、１５０ｂ同士で構成される第１合わせ部１６０と、環状部１４０の端部１４０ａ、１４０ｂ同士で構成される第２合わせ部１７０とを有している。本実施の形態によるアーム部１５０は、第１合わせ部１６０を構成することにより、全体としてコの字形状を有している。
【００２３】
図３及び図４に示されるように、本実施の形態において、第１合わせ部１６０を構成する端部１５０ａ、１５０ｂの形状は、互いに対応するように形成されている。同様に、第２合わせ部１７０を構成する端部１４０ａ、１４０ｂの形状も、互いに対応するように形成されている。詳しくは、図５に示されるように、第１合わせ部１６０を構成する２つのアーム部１５０の端部１５０ａ及び端部１５０ｂには、被受部１６２及び受部１６４が夫々形成されている。同様に、第２合わせ部１７０を構成する環状部１４０の端部１４０ｂ及び端部１４０ａにも、被受部１７２及び受部１７４が夫々形成されている。本実施の形態において、第１合わせ部１６０の中心Ｍ１は第２合わせ部１７０の中心Ｍ２とＸ方向においてずれているものである。かかる「ずれ」の効果については後述する。ここで、第１合わせ部１６０及び第２合わせ部１７０の間にできる隙間に着目した場合、第１合わせ部１６０及び第２合わせ部１７０は、Ｚ方向から見た場合に第１合わせ部１６０及び第２合わせ部１７０夫々の間に略クランク形状の隙間ができるように構成されている。当該クランク形状は、互いに異なる向きに折れ曲がるよう構成されている。なお、本実施の形態における第１合わせ部１６０及び第２合わせ部１７０は、夫々の間に隙間を有しているが、隙間がなくなるように、即ち、第１合わせ部１６０及び第２合わせ部１７０を構成する端部１４０ａ、１４０ｂ及び端部１５０ａ、１５０ｂの夫々が接触していてもよい。また、本実施の形態本実施の形態においては、図１及び図２に示されるように、環状部１４０の有する端部は、第２合わせ部１７０を構成する端部１４０ａ、１４０ｂのみである。換言すると、環状部１４０が有する隙間は、端部１４０ａ、１４０ｂによって構成される隙間のみである。
【００２４】
図６に示されるように、本実施の形態によるコンタクト３００は、同軸ケーブルの内部導体２２と接続される内部導体接続部３１０と、相手側コネクタのコンタクトと接続される相手側コンタクト接続部３２０を有している。本実施の形態による内部導体接続部３１０には、絶縁体２３を突き破って内部導体２２と接触を図るための突起が形成されている。また、図７に示されるように、本実施の形態による保持部材２００は、アーム側部位２１０と嵌合側部位２３０とを備えている。アーム側部位２１０は、一次加工品１００ａのアーム部１５０に囲まれるようにして保持される部位である。嵌合側部位２３０は略円形状の部位を有しており、当該部位は導電性部材１００の環状部１４０に挿入されるものである。なお、本実施の形態による保持部材２００は絶縁体で構成されている。
【００２５】
本実施の形態によるコネクタ１０は、概略、保持部材２００に対してコンタクト１００を保持させ、それらを一次加工品１００ａに組み込んだ後、一次加工品１００ａを折り曲げることにより、構成される。以下、かかる工程について、詳細に説明する。
【００２６】
まず、コンタクト１００を保持部材２００に対してＹ方向に沿って差し込むことにより、図８に示されるように、コンタクト１００を保持部材２００に保持させる。
【００２７】
次いで、図３及び図９及び図１０に示されるように、保持部材２００の嵌合側部位２３０を環状部１４０に挿入し且つアーム側部位２１０をアーム部１５０に囲ませるようにして、コンタクト１００を保持した保持部材２００を一次加工品１００ａの嵌合部１２０に組み込む。
【００２８】
その後、一次加工品１００ａに対して保持部材２００を組み込んだ状態で、嵌合部１２０を基部１１０に向けて倒すようにして一次加工品１００ａを折り曲げる。詳しくは、図１１に示されるように、一次加工品１００ａの初期状態においては、環状部１４０の軸がＹ方向を向いており且つ環状部１４０の軸に直交する面（嵌合面）がＸＺ平面と平行となっているので、これを折曲げ部１１２を支点として図１２に示される状態を経て図１に示される状態となるように（即ち、環状部１４０の軸がＺ方向を向き且つ嵌合面がＸＹ平面と平行になるまで）嵌合部１２０を基部１１０に向けて倒す。
【００２９】
ここで、嵌合部１２０を基部１１０に向けて倒す際には、嵌合部１２０に対してＸ方向に直交する方向に向かう力（即ち、嵌合面に対して直交する方向に向かう力）を加えることとなるが、同時に嵌合部１２０に対してＸ方向に斜交する方向であってＸ方向と直交する方向ではない方向（即ち、嵌合面に斜交する方向）に向かう力が加わることもある。なお、Ｘ方向に斜交する方向であってＸ方向と直交する方向ではない方向（嵌合面に斜交する方向）は、２種類に大別することができる。一方は、Ｘ方向成分とそれに直交する方向成分とに分けた場合に、＋Ｘ方向成分を有するものであり、これを第１斜交方向という。他方は、Ｘ方向成分とそれに直交する方向成分とに分けた場合に、−Ｘ方向成分を有するものであり、これを第２斜交方向という。即ち、嵌合部１２０を基部１１０に向けて倒す際には、嵌合部１２０に対してＸ方向に直交する方向に向かう力（即ち、嵌合面に対して直交する方向に向かう力）のみならず、図５に示されるように、第１斜交方向に向かう力Ｓ１や第２斜交方向に向かう力Ｓ２が加わる場合がある。
【００３０】
本実施の形態によれば、嵌合部１２０に対して第１斜交方向へ向かう力Ｓ１が加わった場合、第１合わせ部１６０の被受部１６２を受部１６４が受け止めることにより、当該力Ｓ１に対抗することができ、一方、嵌合部１２０に対して第２斜交方向へ向かう力Ｓ２が加わった場合、第２合わせ部１７０の被受部１７２を受部１７４が受け止めることにより、当該力Ｓ２に対抗することができる。即ち、本実施の形態による第１合わせ部１６０及び第２合わせ部１７０は、第１斜交方向に向かう力Ｓ１及び第２斜行方向へ向かう力Ｓ２のいずれが加わった場合であっても、当該力を受けることができる溝を構成している。これにより、嵌合部１２０を倒す際に剪断応力が生じたとしても、嵌合部１２０が左右にねじれることが防止される。従って、本実施の形態によれば、環状部１４０を変形させることなく、嵌合部１２０を基部１１０に向けて倒し、図１に示されるコネクタ１０を得ることができる。なお、上述したように、第１合わせ部１６０の中心Ｍ１と第２合わせ部１７０の中心Ｍ２をずらすことにより、第１斜交方向及び第２斜交方向へ向かう力Ｓ１，Ｓ２の夫々をより効果的に受けることができる。
【００３１】
加えて、本実施の形態による第１合わせ部１６０及び第２合わせ部１７０によれば、相手側コネクタと環状部１４０との嵌合する際にも、Ｚ方向に平行でない方向、即ちＺ方向に斜交する方向に向かう力が嵌合部に加わった場合、嵌合部１２０の変形防止に寄与する。
【００３２】
なお、上述した第１合わせ部１６０及び第２合わせ部１７０の形状は、略クランク形状の隙間ができるように端部（１４０ａ、１４０ｂ、１５０ａ、１５０ｂ）を構成していたが、例えば、図１３のような波状の溝ができるように第１合わせ部１６０ａ及び第２合わせ部１７０ａを構成することとしてもよい。この場合、当該波状の溝が互いに異なる向きに曲がるようにすればよい。また、図１４に示されるような斜線状の溝ができるように第１合わせ部１６０ｂ及び第２合わせ部１７０ｂを構成することとしてもよい。この場合、当該斜線状の溝についても、互いに異なる方向に延びるものとすればよい。加えて、図１５及び図１６に示されるように、環状部１４０に対して、上述した第１合わせ部１６０及び第２合わせ部１７０を連続して１つの合わせ部１６０ｃ及び合わせ部１６０ｄとし、嵌合方向に斜交する方向に向かう力を受けることができるようにしてもよい。更に、図１５及び図１６に示されるような連続した一つの合わせ部を環状部１４０ではなくアーム部１５０のみに設けることとしてもよい。
【符号の説明】
【００３３】
１０    コネクタ
２０    同軸ケーブル
２２    内部導体
２４    外部導体
１００    導電性部材
１００ａ    一次加工品
１１０    基部
１１２    端部
１２０    嵌合部
１２０ａ    第１部位
１２０ｂ    第２部位
１３０    ケーブル保持部
１４０    環状部
１４０ａ、１４０ｂ    端部
１５０    アーム部
１５０ａ、１５０ｂ    端部
１６０    第１合わせ部
１６０ｃ、１６０ｄ    合わせ部
１６２    被受部
１６４    受部
１７０    第２合わせ部
１７２    被受部
１７４    受部
２００    保持部材
２１０    アーム側部位
２３０    環状部側部位
３００    コンタクト
３１０    内部導体接続部
３２０    相手側コンタクト接続部
【図１】
2011028908.tif 000003
【図２】
2011028908.tif 000004
【図３】
2011028908.tif 000005
【図４】
2011028908.tif 000006
【図５】
2011028908.tif 000007
【図６】
2011028908.tif 000008
【図７】
2011028908.tif 000009
【図８】
2011028908.tif 000010
【図９】
2011028908.tif 000011
【図１０】
2011028908.tif 000012
【図１１】
2011028908.tif 000013
【図１２】
2011028908.tif 000014
【図１３】
2011028908.tif 000015
【図１４】
2011028908.tif 000016
【図１５】
2011028908.tif 000017
【図１６】
2011028908.tif 000018